【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
航空機の客室に用いられるシートユニットであって、傾倒可能な背もたれを有する第１のシートを収容する固定されたハウジングを備えており、前記背もたれが前記ハウジング内に残るようにして傾倒するよう配列されているシートユニット。
【請求項２】
前記第１のシートは、略直立位置と略水平位置との間で前記背もたれが傾倒できるように、前記背もたれの傾倒と共に移動可能なよう配列された座部分を備えている請求項１記載のシートユニット。
【請求項３】
前記背もたれが略水平位置に傾倒された場合に、前記座部分と前記背もたれは互いに協働して略平坦面を形成するよう配列されている請求項２記載のシートユニット。
【請求項４】
レッグレストを更に備えている請求項２又は３記載のシートユニット。
【請求項５】
前記背もたれが略水平位置に傾倒された場合に、前記座部分と協働して前記略平坦面の一部を形成するように、前記レッグレストは配列されている請求項４記載のシートユニット。
【請求項６】
前記第１のシートに対向するように位置決めされた第２のシートを更に備えている請求項１〜６のいずれか１項に記載のシートユニット。
【請求項７】
前記第２のシートは座部分を有し、この座部分は、前記第１のシートが略水平位置に傾倒された場合に、前記第１のシートの前記レッグレストと協働して前記略平坦面の一部を形成するように位置決めされている請求項６記載のシートユニット。
【請求項８】
プライバシー用のスクリーンを更に備えている請求項１〜７のいずれか１項に記載のシートユニット。
【請求項９】
前記ハウジングは前記第１のシートの傾倒可能な背もたれの後ろに設けられた収納スペースを備えている請求項１〜８のいずれか１項に記載のシートユニット。
【請求項１０】
出し入れ可能なテーブルを更に備えている請求項１〜９のいずれか１項に記載のシートユニット。
【請求項１１】
背もたれ及び座部分を備える傾倒可能な第１のシートと、対向配置された第２のシートとを具備する収容ユニットであって、前記第１のシートは傾倒位置に可動であり、当該傾倒位置において前記背もたれ及び前記座部分は前記第２のシートと共に略平坦な寝台面を形成するようになっている収容ユニット。
【請求項１２】
前記第１のシートは背もたれ部分と座部分とを備え、前記背もたれ部分は略垂直位置と略水平位置との間で傾倒可能であり、前記座部分は、前記背もたれ部分の傾倒と協働して前記第２のシートに向かって移動するよう配列されている請求項１１記載の収容ユニット。
【請求項１３】
引込み位置と支持位置との間で可動な足支持部分を更に備えている請求項１２記載の収容ユニット。
【請求項１４】
前記足支持部分は前記背もたれ部分の傾倒と協働して前記座部分と共に移動可能であり、前記略平坦な寝台面の一部を形成するようになっている請求項１３記載の収容ユニット。
【請求項１５】
背もたれ部分と、座部分と、前記座部分に関連されるトロリーとを備えるシートであって、前記トロリーは引込み位置と引伸し位置との間で前記座部分を移動させるように駆動可能であり、前記座部分及び前記背もたれ部分は、前記座部分が前記引込み位置と前記引伸し位置との間で移動された場合に前記背もたれ部分が略直立位置と傾倒位置との間で移動されるように協働するようになっているシート。
【請求項１６】
前記背もたれ部分はその一端で前記座部分と連結されている請求項１５記載のシート。
【請求項１７】
前記略直立位置と前記傾倒位置との間で前記背もたれ部分を案内するための背もたれ案内手段を更に備えている請求項１５又は１６記載のシート。
【請求項１８】
前記座部分が前記引込み位置と前記引伸し位置との間で移動される場合に、前記座部分の向きを変えるよう前記座部分を案内するための座案内手段を更に備えている請求項１５〜１７のいずれか１項に記載のシート。
【請求項１９】
引込み位置と支持位置との間で移動可能なレッグレスト部分を更に備えている請求項１５〜１７のいずれか１項に記載のシート。
【請求項２０】
前記レッグレストは、前記トロリーの駆動とは別個独立に、前記引込み位置と前記支持位置との間で駆動可能となっている請求項１９記載のシート。
【請求項２１】
前記背もたれ部分が前記傾倒位置にあり、前記座部分が前記引伸し位置にあり且つ前記レッグレスト部分が前記支持位置にある場合に、前記背もたれ部分、前記座部分及び前記レッグレスト部分により略平坦な寝台面が形成される請求項１５〜２０のいずれか１項に記載のシート。
【請求項２２】
前記シートから分離した拡張面を更に備えており、この各頂面は、前記レッグレスト部分が前記支持位置にある場合に該レッグレスト部分と協働して前記寝台面を拡張するようになっている請求項２１記載のシート。
【請求項２３】
前記拡張面は他のシートの背もたれに固定されるように設けられている請求項２２記載のシート。
【請求項２４】
前記拡張面は第２のシートを構成している請求項２２記載のシート。
【請求項２５】
前記レッグレスト部分が前記引込み位置と前記支持位置との間で移動される場合に、前記拡張面と前記レッグレスト部分との間で物体が挟まれないようにするために、前記拡張面は枢動可能となっている請求項２２〜２４のいずれか１項に記載のシート。
【請求項２６】
前記第２のシートは、固定部分と、前記レッグレスト部分が前記引込み位置及び前記支持位置の間で移動される場合に前記拡張面及び前記レッグレスト部分の間で物体が挟まれるのを防止するための枢動可能な部分とを備えている請求項２４記載のシート。
【請求項２７】
前記背もたれ案内手段及び前記座案内手段が固定される固定構造体を更に備えている請求項１５〜２６のいずれか１項に記載のシート。
【請求項２８】
前記固定構造体は背面を備えており、前記背もたれ案内手段は、前記背もたれ部分が前記固定構造体の前記背面の前方に移動するように形成されている請求項２７記載のシート。
【請求項２９】
前記トロリーを駆動するための電気モータを更に備えている請求項１５〜２８のいずれか１項に記載のシート。
【請求項３０】
前記レッグレスト部分を駆動するための電気モータを更に備えている請求項１９〜２９のいずれか１項に記載のシート。
【請求項３１】
各電気モータを制御するための、使用者により操作される制御手段を更に備えている請求項２９又は３０記載のシート。
【請求項３２】
車両に用いられるシートユニットであって、第１のシートと、前記第１のシートに隣接配置され且つ前記第１のシートから構造的に分離されている、前記第１のシートの占有者により個人的に使用されるユーティリティを収容するためのユーティリティユニットと、を備えているシートユニット。
【請求項３３】
前記ユーティリティユニットは前記占有者の個人所有物のための収納スペースを提供する請求項３２記載のシートユニット。
【請求項３４】
前記ユーティリティユニットはテレビ型モニターを含んでいる請求項３２又は３３記載のシートユニット。
【請求項３５】
前記ユーティリティユニットは、前記第１のシートの前で広げることのできるテーブルを含んでいる請求項３２〜３４のいずれか１項に記載のシートユニット。
【請求項３６】
前記第１のシートに対向するように位置決めされた第２のシートを更に備えており、前記ユーティリティユニットは、前記第１のシート及び前記第２のシートの一側に配置され且つこれらのシート間で延びている請求項３２〜３５のいずれか１項に記載のシートユニット。
【請求項３７】
第２の占有者により使用される別の第１のシートを更に備えており、前記ユーティリティユニットは第２の占有者により個人的に使用される更なるユーティリティを収容するようになっている請求項３２〜３６のいずれか１項に記載のシートユニット。
【請求項３８】
請求項１〜３７のいずれか１項に記載のシートユニット又は収容ユニットを複数備える客室を有している航空機。
【請求項３９】
前記ユニットは機外向き状態で配列されている請求項３８記載の航空機。
【請求項４０】
前記ユニットは機内向き状態で配列されている請求項３８記載の航空機。
【請求項４１】
主軸線を有しており且つ前記主軸線の各側に１つずつ設けられた少なくとも２つの壁により画成されている客室を備える車両であって、前記客室は、それぞれ主軸線を有し且つ個々の乗客により使用されるのに適した複数の収容ユニットを含んでおり、少なくとも一部の前記収容ユニットは各壁にて所定のラインに沿って千鳥配列され、前記ラインに沿う前記収容ユニットの各々の主軸線が前記客室の主軸線と非整列状態となる配列を画成し、それによって、前記ラインに沿う前記収容ユニットのいずれもが他のいずれの前記収容ユニットとも完全に隣合うのを避けることにより当該収容ユニットにおける各乗客に対してプライバシーを確保するようになっている車両。
【請求項４２】
各壁に沿う前記収容ユニットは前記客室の外方に向くように方向が定められている請求項４１記載の車両。
【請求項４３】
各壁に沿う前記収容ユニットは前記客室の内方に向くように方向が定められている請求項４１記載の車両。
【請求項４４】
前記収容ユニットの各々は、第１のシートと、前記第１のシートと対向する第２のシートとを備えており、前記収容ユニットの一つにおける前記第２のシートが同ラインの次の収容ユニットにおける前記第１のシートと実質的に隣接するように前記収容ユニットは壁に沿って千鳥配列されている請求項４１〜４３のいずれか１項に記載の車両。
【請求項４５】
前記客室は一連の中央部の収容ユニットを含んでいる請求項４１〜４４のいずれか１項に記載の車両。
【請求項４６】
航空機の客室に用いられるシートユニットであって、
固定ハウジングと、
前記固定ハウジング内に収容された背もたれ部分、及び、座部分を有するシートと、
前記シートの座部分に関連されるトロリーと
を具備し、
前記トロリーは、使用時に当該シートユニットが載置される支持面と接して前記座部分を支持するように前記座部分から離れる方向に延びる部材と、前記座部分を引込み位置と引伸し位置との間で移動させるように当該トロリーを駆動する駆動手段とを備えており、
前記座部分と前記背もたれ部分とが協働し、前記座部分が引込み位置と引伸し位置との間で移動された場合に前記背もたれ部分が前記固定ハウジング内に実質的に保持された状態で略直立位置と傾倒位置との間で移動され得るようになっており、
前記背もたれ部分が前記傾倒位置にあり且つ前記座部分が前記引伸し位置にある場合に、前記背もたれ部分と前記座部分とにより略平坦面が形成されるようになっている、シートユニット。
【請求項４７】
前記背もたれ部分は、その一端で前記座部分と連結されている、請求項１に記載のシートユニット。
【請求項４８】
前記略直立位置と前記傾倒位置との間で前記背もたれ部分を案内するための背もたれ案内手段を更に備えている、請求項４６又は４７記載のシートユニット。
【請求項４９】
前記座部分が前記引込み位置と前記引伸し位置との間で移動される場合に、前記座部分の向きを変えるよう前記座部分を案内するための座案内手段を更に備えている、請求項４８に記載のシートユニット。
【請求項５０】
前記背もたれ案内手段と前記座案内手段とは前記固定ハウジングに固定されている、請求項４９に記載のシートユニット。
【請求項５１】
前記固定ハウジングは背面を備えており、
前記背もたれ部分の動作が前記固定ハウジングの背面の前方となるように、前記背もたれ案内手段が形成されている、請求項５０に記載のシートユニット。
【請求項５２】
レッグレスト部分を更に備えており、
前記レッグレスト部分は、当該レッグレスト部分を引込み位置と支持位置との間で移動させるための移動手段に連結されている、請求項４６〜５１のいずれか１項に記載のシートユニット。
【請求項５３】
前記移動手段は、前記レッグレスト部分を駆動するための電気モータを備えている、請求項５２に記載のシートユニット。
【請求項５４】
前記電気モータを制御するための、使用者により操作される制御手段を更に備えている、請求項５３に記載のシートユニット。
【請求項５５】
前記レッグレスト部分は、前記トロリーの駆動とは別個独立に、前記引込み位置と前記支持位置との間で駆動可能となっている、請求項５２〜５４のいずれか１項に記載のシートユニット。
【請求項５６】
前記背もたれ部分が前記傾倒位置にあり、前記座部分が前記引伸し位置にあり且つ前記レッグレスト部分が前記支持位置にある場合に、前記背もたれ部分、前記座部分及び前記レッグレスト部分により略平坦な寝台面が形成される、請求項５２〜５５のいずれか１項に記載のシートユニット。
【請求項５７】
前記シートから分離した拡張面を更に備えており、
この拡張面は、前記レッグレスト部分が前記支持位置にある場合に該レッグレスト部分と協働して前記寝台面を拡張するようになっている、請求項５６に記載のシートユニット。
【請求項５８】
前記拡張面は他のシートの背面に固定されるように設けられている、請求項５７記載のシートユニット。
【請求項５９】
前記拡張面は第２のシートを構成している、請求項５８に記載のシートユニット。
【請求項６０】
前記レッグレスト部分が前記引込み位置と前記支持位置との間で移動される場合に、前記拡張面と前記レッグレスト部分との間で物体が挟まれるのを防止するように、前記拡張面は枢動可能となっている、請求項５７又は５８に記載のシートユニット。
【請求項６１】
前記第２のシートは、
固定部分と、
前記レッグレスト部分が前記引込み位置と前記支持位置との間で移動される場合に前記拡張面と前記レッグレスト部分との間で物体が挟まれるのを防止するように枢動可能となっている部分と
を備えている、請求項５９記載のシートユニット。
【請求項６２】
駆動手段は前記トロリーに連結されている、請求項４６〜６１のいずれか１項に記載のシートユニット。
【請求項６３】
前記駆動手段は、前記トロリーを駆動するための電気モータを備えている、請求項６２に記載のシートユニット。
【請求項６４】
前記電気モータを制御するための、使用者により操作される制御手段を更に備えている、請求項５３に記載のシートユニット。
【請求項６５】
前記シートに隣接配置され且つ前記シートから構造的に分離されている、前記シートの占有者により個人的に使用されるユーティリティを収容するためのユーティリティユニットを更に備えている、請求項４６〜６４のいずれか１項に記載のシートユニット。
【請求項６６】
前記ユーティリティユニットは前記占有者の個人所有物のための収納スペースを提供する、請求項６５に記載のシートユニット。
【請求項６７】
前記ユーティリティユニットはテレビ型モニターを含んでいる、請求項６５又は６６に記載のシートユニット。
【請求項６８】
前記ユーティリティユニットは、前記シートの前で広げることのできるテーブルを含んでいる、請求項６５〜６７のいずれか１項に記載のシートユニット。
【請求項６９】
前記シートに隣接配置され且つ前記シートから構造的に分離されている、前記シートの占有者により個人的に使用されるユーティリティを収容するためのユーティリティユニットを更に備えており、
前記ユーティリティユニットは、前記拡張面と前記シートの一側に配置され、且つ、前記シートと前記拡張面との間に延びている、請求項５７に記載のシートユニット。
【請求項７０】
前記背もたれ部分は前記固定ハウジングにより支持されている、請求項４６〜６９のいずれか１項に記載のシートユニット。
【請求項７１】
請求項４６〜７０のいずれか１項に記載のシートユニットを複数備える客室を有している航空機。
【請求項７２】
前記シートユニットが機外向き状態で配列されている、請求項７１に記載の航空機。
【請求項７３】
前記シートユニットが機内向き状態で配列されている、請求項７１に記載の航空機。
【請求項７４】
請求項４６〜７０のいずれか１項に記載のシートユニットを複数含む客室を備えている航空機であって、前記シートユニットの少なくとも一部が梯形に配列されている、航空機。
【請求項７５】
前記客室が、その各側に沿って梯形に配列されている一連の前記シートユニットを有している、請求項７４に記載の航空機。
【請求項７６】
各側に沿う前記シートユニットが前記客室の外方に向くように方向が定められている、請求項７５に記載の航空機。
【請求項７７】
各側に沿う前記シートユニットが前記客室の内方に向くように方向が定められている、請求項７５に記載の航空機。
【請求項７８】
前記客室が一連の中央部の前記シートユニットを有している、請求項７４〜７７のいずれか１項に記載の航空機。
【請求項７９】
航空機のための乗客の収容ユニットであって、
第１のシートと、前記第１のシートの前方に配置され且つ一つの面を有する第２のユニットとを具備しており、
前記第１のシートが、
背もたれ部分と、
前記背もたれ部分を略直立位置と略水平位置との間で連続的に傾倒することができるように前記背もたれ部分を支持するサポートと、
座部分と、
前記座部分を支持するサポートであり、前記背もたれ部分が傾倒される場合には前記座部分を前方に移動させるように、且つ、前記背もたれ部分が前記略直立位置の方向に移動される場合には前記座部分を後方に移動させるように配置されているサポートと、
前記座部分と共に移動するように連結されたレッグサポートであり、引き込み位置と引伸し位置との間で位置決め可能であるレッグサポートと、
を備え、
前記略水平位置に前記背もたれ部分があり且つ前記引伸し位置に前記レッグサポートがある場合に、前記背もたれ部分、前記座部分、前記レッグサポート及び前記第２のユニットの面が協働して略平坦で連続的な寝台面を形成するように、前記第１のシート及び前記第２のユニットが互いに対して配置されている、収容ユニット。
【請求項８０】
前記第２のユニットが前記第１のシートに面する第２のシートを備えている、請求項７９に記載の収容ユニット。
【請求項８１】
プライバシー用のスクリーンを更に備えている、請求項７９又は８０に記載の収容ユニット。
【請求項８２】
前記第１のシートを収容する固定ハウジングを更に備えており、
前記背もたれ部分が、実質的に前記固定ハウジング内で保持されるような態様で、傾倒可能となっている、請求項７９〜８１のいずれか１項に記載の収容ユニット。
【請求項８３】
前記固定ハウジングは、前記第１のシートにおける前記背もたれ部分の後ろに設けられた収納スペースを備えている、請求項８２に記載の収容ユニット。
【請求項８４】
出し入れ可能なテーブルを更に備えている、請求項７９〜８３のいずれか１項に記載の収容ユニット。
【請求項８５】
前記座部分を支持するためのトロリーであり、使用時に当該収容ユニットが載置される支持面と接して前記座部分を支持するように前記座部分から離れる方向に延びる部材を備えるトロリーと、
前記座部分を引込み位置と引伸し位置との間で移動させるように前記トロリーを駆動する駆動手段と
を更に備えており、
前記座部分と前記背もたれ部分とが協働し、前記座部分が前記引込み位置と前記引伸し位置との間で移動された場合に前記背もたれ部分が略直立位置と略水平位置との間で移動されるようになっている、請求項７９〜８４のいずれか１項に記載の収容ユニット。
【請求項８６】
前記駆動手段は、前記トロリーを駆動するための電気モータを備えている、請求項８５に記載の収容ユニット。
【請求項８７】
前記電気モータを制御するための、使用者により操作される制御手段を更に備えている、請求項８６に記載の収容ユニット。
【請求項８８】
前記レッグサポートは、前記トロリーの駆動とは別湖独立に、当該レッグサポートを前記引込み位置と前記引伸し位置との間で移動させるための移動手段に連結されている、請求項８５〜８７のいずれか１項に記載の収容ユニット。
【請求項８９】
前記移動手段は、前記レッグサポートを駆動するための電気モータを備えている、請求項８８に記載の収容ユニット。
【請求項９０】
前記電気モータを制御するための、使用者により操作される制御手段を更に備えている、請求項８９に記載の収容ユニット。
【請求項９１】
前記背もたれ部分は、その一端で前記座部分と連結されている、請求項７９〜９０のいずれか１項に記載の収容ユニット。
【請求項９２】
前記略直立位置と前記略水平位置との間で前記背もたれ部分を案内するための背もたれ案内手段を更に備えている、請求項７９〜９１のいずれか１項に記載の収容ユニット。
【請求項９３】
前記座部分が前記引込み位置と前記引伸し位置との間で移動される場合に、前記座部分の向きを変えるよう前記座部分を案内するための座案内手段を更に備えている、請求項７９〜９２のいずれか１項に記載の収容ユニット。
【請求項９４】
前記第２のユニットは他のシートの背面に固定されている、請求項７９〜９３のいずれか１項に記載の収容ユニット。
【請求項９５】
前記第２のユニットは、前記レッグサポートが前記引込み位置及び前記引伸し位置の間で移動される場合に当該第２のユニットと前記レッグサポートとの間で物体が挟まれるのを防止するように枢動可能となっている、請求項７９〜９４のいずれか１項に記載の収容ユニット。
【請求項９６】
前記第２のユニットは第２のシートを備えている、請求項７９〜９５のいずれか１項に記載の収容ユニット。
【請求項９７】
前記第２のシートは、
固定部分と、
前記レッグサポートが前記引込み位置と前記引伸し位置との間で移動される場合に前記第２のユニットと前記レッグサポートとの間で物体が挟まれるのを防止するように枢動可能となっている枢動可能な部分と
を備えている、請求項９６に記載の収容ユニット。
【請求項９８】
前記第１のシートに隣接配置され且つ前記第１のシートから構造的に分離されている、前記第１のシートの占有者により個人的に使用されるユーティリティを収容するためのユーティリティユニットを更に備えている、請求項７９〜９７のいずれか１項に記載の収容ユニット。
【請求項９９】
前記ユーティリティユニットは前記占有者の個人所有物のための収納スペースを提供する、請求項９８に記載の収容ユニット。
【請求項１００】
前記ユーティリティユニットはテレビ型モニターを含んでいる、請求項９８又は９９に記載の収容ユニット。
【請求項１０１】
前記ユーティリティユニットは、前記第１のシートの前で広げることのできるテーブルを含んでいる、請求項９８〜１００のいずれか１項に記載の収容ユニット。
【請求項１０２】
前記ユーティリティユニットは、前記第２のユニットの面と前記第１のシートの一側に配置され、且つ、前記面と前記第１のシートとの間で延びている、請求項９８〜１０１のいずれか１項に記載の収容ユニット。
【請求項１０３】
請求項７９〜１０２のいずれか１項に記載の収容ユニットを複数備える客室を有している航空機。
【請求項１０４】
前記収容ユニットが機外向き状態で配列されている、請求項１０３に記載の航空機。
【請求項１０５】
前記収容ユニットが機内向き状態で配列されている、請求項１０３に記載の航空機。
【請求項１０６】
請求項７９〜１０２のいずれか１項に記載の収容ユニットを複数含む客室を備えている航空機であって、前記収容ユニットの少なくとも一部が梯形に配列されている、航空機。
【請求項１０７】
前記客室が、その各側に沿って梯形に配列されている一連の前記収容ユニットを有している、請求項１０６に記載の航空機。
【請求項１０８】
各側に沿う前記収容ユニットが前記客室の外方に向くように方向が定められている、請求項１０７に記載の航空機。
【請求項１０９】
各側に沿う前記収容ユニットが前記客室の内方に向くように方向が定められている、請求項１０７に記載の航空機。
【請求項１１０】
前記客室が一連の中央部の前記収容ユニットを有している、請求項１０６〜１０９のいずれか１項に記載の航空機。
【請求項１１１】
航空機の客室用のシートユニットであって、
第１のシートを収容する固定ハウジングを具備しており、
前記第１のシートが、
実質的に前記固定ハウジング内で保持されるような態様で傾倒可能となっている傾倒可能な背もたれと、
前記背もたれに連結された座部分であり、前記背もたれを略直立位置と略水平位置との間で連続的に傾倒することができるように前記背もたれの傾倒動作と共に前方ら移動するようになっている座部分と、
前記座部分に連結されており、引込み位置と引伸し位置との間で移動するようになっているレッグレストと、
前記背もたれの前記傾倒動作、前記座部分の動作及び前記レッグレストの動作を行わせるための駆動手段と、
を備え、
前記略水平位置に前記背もたれがあり且つ前記引伸し位置に前記レッグレストがある場合に、前記座部分、前記背もたれ及び前記レッグレストが協働して略平坦面を形成するように配置されている、シートユニット。
【請求項１１２】
プライバシー用のスクリーンを更に備えている、請求項１１１に記載のシートユニット。
【請求項１１３】
前記固定ハウジングは、前記第１のシートにおける前記傾倒可能な背もたれの後ろに設けられた収納スペースを備えている、請求項１１１又は１１２に記載のシートユニット。
【請求項１１４】
出し入れ可能なテーブルを更に備えている、請求項１１１〜１１３のいずれか１項に記載のシートユニット。
【請求項１１５】
前記第１のシートの占有者により個人的に使用されるユーティリティを収容するためのユーティリティユニットを更に備えている、請求項１１１〜１１４のいずれか１項に記載のシートユニット。
【請求項１１６】
前記ユーティリティユニットは前記占有者の個人所有物のための収納スペースを提供する、請求項１１５に記載のシートユニット。
【請求項１１７】
前記ユーティリティユニットはテレビ型モニターを含んでいる、請求項１１５又は１１６に記載のシートユニット。
【請求項１１８】
前記ユーティリティユニットは、前記第１のシートの前で広げることのできるテーブルを含んでいる、請求項１１５〜１１７のいずれか１項に記載のシートユニット。
【請求項１１９】
前記第１のシートに面するように配置された第２のシートを更に備えている、請求項１１１〜１１８のいずれか１項に記載のシートユニット。
【請求項１２０】
前記第２のシートは座部分を有しており、
前記座部分は、前記第１のシートの前記背もたれが前記略水平位置に傾倒された場合に前記略平坦面の一部分を形成するように、前記第１のシートの前記レッグレストと協働するよう配置されている、請求項１１９に記載のシートユニット。
【請求項１２１】
前記ユーティリティユニットは、前記第２のシートと前記第１のシートの一側に配置され、前記第２のシートと前記第１のシートとの間で延びている、請求項１１５〜１１８のいずれか１項に従属する請求項１１９又は１２０に記載のシートユニット。
【請求項１２２】
第２の占有者により使用される別の第１のシートを更に備えており、
前記ユーティリティユニットは、前記第２の占有者により個人的に使用される更なるユーティリティを収容する、請求項１１５〜１１９のいずれか１項に従属する請求項１２０又は１２１に記載のシートユニット。
【請求項１２３】
請求項１１１〜１２２のいずれか１項に記載のシートユニットを複数備える客室を有している航空機。
【請求項１２４】
前記シートユニットが機外向き状態で配列されている、請求項１２３に記載の航空機。
【請求項１２５】
前記シートユニットが機内向き状態で配列されている、請求項１２３に記載の航空機。
【請求項１２６】
請求項１１１〜１２２のいずれか１項に記載のシートユニットを複数含む客室を備えている航空機であって、前記シートユニットの少なくとも一部が梯形に配列されている、航空機。
【請求項１２７】
前記客室が、その各側に沿って梯形に配列されている一連の前記シートユニットを有している、請求項１２６に記載の航空機。
【請求項１２８】
各側に沿う前記シートユニットが前記客室の外方に向くように方向が定められている、請求項１２７に記載の航空機。
【請求項１２９】
各側に沿う前記シートユニットが前記客室の内方に向くように方向が定められている、請求項１２７に記載の航空機。
【請求項１３０】
前記客室が一連の中央部の前記シートユニットを有している、請求項１２３〜１２９のいずれか１項に記載の航空機。